(57)【特許請求の範囲】
【請求項１】
手すりの取付構造であって、
手すりと、
前記手すりが取り付けられた壁と
棚材と、
複数の受け体とを備え、
前記手すりは、
左右方向に延びた手すり本体部と、
前記手すり本体部の上端部から後方に向かって突出した指掛け部と
を備え、
前記手すり本体部は、
前記手すり本体部の前面において上縁部を形成する上縁面と、
前記上縁面の下端から下方に連続し、当該上縁面の下端よりも後方側に窪んだ手当たり部と
を有し、
前記手すりは、その長手方向が鉛直方向に交差するように、かつ前記指掛け部が前記壁側に向くように、前記壁に取り付けられており、
前記複数の受け体は、
前記手すりの後面及び前記壁のうちの前記手すりの後面にのみ取り付けられた受け体と、
前記手すりの後面及び前記壁のうちの前記壁にのみ取り付けられた受け体とを有し、
前記手すりの後面に取り付けられた前記受け体と、前記壁に取り付けられた前記受け体とが、前記棚材を支持している
ことを特徴とする手すりの取付構造。
【請求項２】
前記上縁面は、前方に向かうほど下方に位置するように傾斜している
ことを特徴とする請求項１記載の手すりの取付構造。
【請求項３】
前記上縁面は、前記手すり本体部の長手方向に垂直な断面において直線状をなす平面により構成されている
ことを特徴とする請求項２記載の手すりの取付構造。
【請求項４】
前記壁が浴室の壁である
ことを特徴とする請求項１〜３のいずれか１項に記載の手すりの取付構造。
【請求項５】
前記手すりと前記壁との間に、物品を収納するための収納スペースが設けられている
ことを特徴とする請求項１〜４のいずれか１項に記載の手すりの取付構造。
【請求項６】
前記手すりと前記壁との間に前記棚材が設けられ、この棚材の上方が前記収納スペースである
ことを特徴とする請求項５に記載の手すりの取付構造。
【発明の詳細な説明】
【技術分野】
【０００１】
本発明は、手すりの取付構造に関する。
【背景技術】
【０００２】
特許文献１には、従来の手すりが開示されている。この特許文献１記載の手すりは、断面において縦長状をなしている。この従来の手すりは、使用者がその上端を手でつかんでも、不快な思いをしないように、上端の両角部が滑らかな曲面をなすように面取りされている。
【先行技術文献】
【特許文献】
【０００３】
【特許文献１】特開２００１−２１４５８９号公報
【発明の概要】
【発明が解決しようとする課題】
【０００４】
ところで、例えば足腰が弱い高齢者等が手すりを使用する場合、高齢者等は手すりをつかんで身体を起こしたり、手すりを強くつかんで身体を支持しながら移動したりすることがある。しかしながら、従来の手すりでは、使用者が、その上端をしっかりとつかもうとしても、上端の両角部が滑らかな曲面をなすように面取りされており、指を引っ掛けにくいため力を入れにくい。
【０００５】
本発明は、上記事情に鑑みてなされたものであり、その目的とするところは、使用者が上端部をつかんだときに、しっかりとつかむことができる手すりの取付構造を提供することにある。
【課題を解決するための手段】
【０００６】
本発明の手すりの取付構造は、手すりと、前記手すりが取り付けられた壁と、棚材と、複数の受け体とを備え、前記手すりは、左右方向に延びた手すり本体部と、前記手すり本体部の上端部から後方に向かって突出した指掛け部とを備え、前記手すり本体部は、前記手すり本体部の前面において上縁部を形成する上縁面と、前記上縁面の下端から下方に連続し、当該上縁面の下端よりも後方側に窪んだ手当たり部とを有し、前記手すりは、その長手方向が鉛直方向に交差するように、かつ前記指掛け部が前記壁側に向くように、前記壁に取り付けられており、前記複数の受け体は、前記手すりの後面及び前記壁のうちの前記手すりの後面にのみに取り付けられた受け体と、前記手すりの後面及び前記壁のうちの前記壁にのみ取り付けられた受け体とを有し、前記手すりの後面に取り付けられた前記受け体と、前記壁に取り付けられた前記受け体とが、前記棚材を支持していることを特徴とする。
【発明の効果】
【０００９】
本発明の手すりの取付構造によれば、使用者が上端部をつかんだときに、しっかりとつかむことができる。
【図面の簡単な説明】
【００１０】
【図１】本実施形態の手すりの取付構造の斜視図である。
【図２】図１におけるＡ−Ａ線断面図である。
【図３】図３Ａは、本実施形態の滑り止め部の概略正面図である。図３Ｂは、変形例の滑り止め部の概略正面図である。図３Ｃは、更なる変形例の滑り止め部の概略正面図である。
【図４】本実施形態の手すりの取付構造の分解斜視図である。
【図５】図１におけるＢ−Ｂ線断面図である。
【図６】図６Ａ，図６Ｂ，図６Ｃは、本実施形態の手すりの取付構造の使用を説明する説明図である。
【図７】図７Ａは、本実施形態の手すりを使用して使用者が立ち上がるときの説明図である。図７Ｂは、使用者が手すりをつかんだ状態を示す拡大断面図である。
【図８】図８Ａ〜図８Ｄは、変形例１〜４の手すりの断面図である。
【図９】図９Ａ，図９Ｂは、変形例５，６の手すりの断面図である。
【図１０】変形例７の手すりの断面図である。
【発明を実施するための形態】
【００１１】
本実施形態の手すり２の取付構造は、図１に示すように、手すり２が浴室の壁１０に取り付けられている。この手すり２の取付構造は、浴室の壁１０と、壁１０に固定された複数の支持体６と、支持体６に固定された手すり２と、複数の棚材８とを備えている。
【００１２】
複数の棚材８は、手すり２と壁１０との間に設置されている。手すり２と壁１０との間において各棚材８の上方に位置する空間は、収納スペース７０となっている。各収納スペース７０には、下方の棚材８においた物品（例えば、シャンプー剤を入れるボトルや、石けんなどの浴室小物）を収納することができる。すなわち、手すり２と壁１０との間には、物品を収納するための収納スペース７０が設けられている。
【００１３】
以下においては、手すり２の長手方向を左右方向として定義する。また、手すり２を水平に取り付けた取付状態において、手すり２の長手方向に垂直な水平方向を前後方向として定義し、前後方向のうちの手すり２側から壁１０側に向かう方向を後方向（後方）とし、その反対方向を前方向（前方）とする。
【００１４】
浴室は、複数の壁１０を備えている。浴室内には、浴槽１１と、当該浴槽１１に隣り合う洗い場１２とが設置されている。洗い場１２は、浴槽１１の幅方向に隣接している。
【００１５】
手すり２は、浴室の壁１０の左右方向の全長に亙って延びており、浴槽１１側と洗い場１２側とに跨るようにして取り付けられている。手すり２は、浴槽１１および洗い場１２の上方に配置されている。手すり２と壁面１３（壁１０の前面）との間には、複数の支持体６が設けられており、手すり２は壁面１３から離れている。手すり２は、図２に示すように、手すり本体部３と、手すり本体部３の上端部から後方に突出した指掛け部４とを備えている。この指掛け部４には滑り止め部５が設けられている。手すり２の上端部は、手すり本体部３の上端部と指掛け部４とで構成されており、使用者のつかむ部分となる。手すり２は、例えば、押し出し成型により形成されており、手すり本体部３と指掛け部４とが一体成形されている。
【００１６】
手すり本体部３は、左右方向に延びており、手すり２の主体を構成する。手すり本体部３は、左右方向に垂直な断面において、上下方向に延びた縦長状をなしている。具体的に本実施形態の手すり本体部３は、前後方向の厚み寸法が約１５ｍｍ、上下方向の幅寸法が約８５ｍｍの扁平状の中空部材により構成される。手すり本体部３は、上端面（上端部において上方に向く面）が、使用者の手を載せるための手置き面３１を構成する。手置き面３１は、左右方向に垂直な断面において水平な直線状をなす平面により構成される。
【００１７】
手すり本体部３の前面は、手置き面３１（すなわち、手すり本体部３の上端面）から、上縁面３２・手当たり部３３・下部面３５の順に下方に連続する。
【００１８】
上縁面３２は、下方に向かうほど前方に位置するように傾斜している。上縁面３２は、左右方向に垂直な断面において直線状をなす平面を有している。
【００１９】
手当たり部３３は、使用者が手すり２の上端をつかんだ際に、手の親指や母指球を収める窪みである。手当たり部３３は、上縁面３２の下端から下方に連続し、この上縁面３２の下端よりも後方側に窪んでいる。手当たり部３３の上部３４は、下方に向いており、手の親指や母指球の上方への移動を規制するように構成されている。これにより、使用者が手すり２の上端部をつかんだ状態において、手指が上方に滑ってしまうのを抑制することができる。
【００２０】
下部面３５は、手当たり部３３の下端から下方に連続した鉛直な面により構成されている。下部面３５の下端は、手すり本体部３の下端面に連続しており、手すり本体部３の下端面とでなす出隅部は、断面円弧状をなしている。
【００２１】
指掛け部４は、使用者が手すり２の上端部をつかんだ際、指を掛けるための部分である。指掛け部４は、手すり本体部３の上端部から後方に向かって突出している。つまり、図中において、手すり本体部３の後面よりも後方に位置する箇所が本実施形態の指掛け部４に該当する。この指掛け部４は、上面４１（以下、指掛け上面４１という）と、後面４２（以下、指掛け後面４２という）と、下面４３（以下、指掛け下面４３という）とを備えている。
【００２２】
指掛け上面４１は、手すり本体部３の手置き面３１の後端から後方に向かって連続している。指掛け上面４１は、後方に向かうほど下方に位置するように傾斜している。指掛け上面４１は、左右方向に垂直な断面において直線状をなす平面を有している。
【００２３】
指掛け後面４２は、指掛け上面４１の後端から下方に連続している。指掛け後面４２は、後方に向く指掛け部４の先端面である。指掛け後面４２は、鉛直な平面により構成されているが、例えば、後述のように曲面で構成されてもよく、特に限定されない。
【００２４】
指掛け下面４３は、指掛け後面４２の下端から前方に向かって連続し、かつ手すり本体部３の後面にも連続する。指掛け下面４３は、指掛け後面４２に連続する後部４３１と、手すり本体部３の後面に連続する前部４３２とを備えている。指掛け下面４３の後部４３１は、手すり本体部３の後面に近づくほど上方に位置するように傾斜している。指掛け下面４３の前部４３２は、指掛け下面４３の後部４３１と手すり本体部３の後面とを接続する部分であり、断面円弧状をなしている。
【００２５】
このような構成の指掛け部４には、滑り止め部５が設けられている。滑り止め部５は、指掛け部４の先端部に設けられており、使用者の指が指掛け部４に掛けられた状態において、指が滑るのを抑制する。具体的に滑り止め部５は、指掛け後面４２に設けられている。滑り止め部５は、指掛け上面４１および指掛け下面４３には設けられておらず、指掛け後面４２にのみ設けられている。
【００２６】
滑り止め部５は、指掛け後面４２を凹凸にした凹凸部５１により構成されている。凹凸部５１は、手すり本体部３の長手方向に平行に延びた複数の凹溝５２を有している。ここで、凹溝５２は、指掛け後面４２から凹没した溝である。凹凸部５１は、凹溝５２が上下方向に並ぶことで、凹凸が繰り返し形成されている。
【００２７】
凹凸部５１は、図３Ａに示すように、手すり２の長手方向に平行に延びた複数の凹溝５２により構成されているが、例えば、図３Ｂに示すように、手すり２の長手方向に対し傾斜する方向に延びた複数の凹溝５２により構成されてもよい。なお、ここでいう凹溝５２の傾斜の程度は、鉛直方向に対し交差していればよいが、水平に近いほうがより効果的に滑り止めの効果を作用させることができる。また、凹凸部５１として、例えば、凹溝５２に替えて、指掛け後面４２から突出した複数の凸条を上下方向に並べることで、凹凸を繰り返し形成してもよい。また、凹凸部５１は、図３Ｃに示すように、点状の突起５３を散在させて凹凸を形成してもよい。
【００２８】
このような構成の手すり２は、指掛け部４側が壁１０側に向くように、かつ、断面縦長状の手すり本体部３の縦方向が壁面１３に沿うようにして取り付けられる。手すり２は、その長手方向が水平となる姿勢で（すなわち、その長手方向が鉛直方向に交差する姿勢で）配置される。手すり２は、複数の支持体６によって支持される。
【００２９】
各支持体６は、図４に示すように、手すり２の長手方向に離れて設けられている。支持体６は、壁１０に固定される第一支持部６１と、手すり２に固定される第二支持部６４とを備えており、第一支持部６１と第二支持部６４とを連結することで、手すり２を固定する。
【００３０】
第一支持部６１は、壁１０に固着具を介して固定される。第一支持部６１は、断面Ｃ字状の支持本体部６２と、支持本体部６２の後端部に設けられた壁固定部６３とを備える。壁固定部６３は、壁面１３に当てられた状態で壁１０にねじ止めされ、これにより、壁１０に固定される。
【００３１】
第二支持部６４は、図５に示すように、筒状をなした筒体部６５と、筒体部６５の前端部に設けられた手すり固定部６６とを備える。また、手すり２の内部には、バックアップ材７が配置されている。手すり固定部６６とバックアップ材７とは、互いにねじ止めされるように構成されており、これにより、手すり２は第二支持部６４に固定される。
【００３２】
手すり２が固定された第二支持部６４は、壁１０に固定された第一支持部６１に連結される。施工者は、手すり２が固定された第二支持部６４の筒体部６５の内部に第一支持部６１を挿入し、この状態で、筒体部６５の下面を第一支持部にねじ止めし、第二支持部６４と第一支持部６１とを連結する。
【００３３】
棚材８は、手すり２と壁１０との間に設けられる（図２）。棚材８は、図４に示すように、左右方向に延びた複数の線材８１を前後方向に間隔を置いて配置し、各線材８１を複数の保持材８２で連結することで構成される。
【００３４】
棚材８は、複数の受け体９により支持される。各受け体９は、円筒状をなしており、中心軸に沿って固着具が挿通できるように構成されている。複数の受け体９のうちの半数は、手すり２の後面に取り付けられる。手すり２の後面に取り付けられた複数の受け体９は、それぞれが手すり２の長手方向に離れて配置される。また、複数の受け体９のうちの残りの半数は、壁１０に取り付けられる。壁１０に取り付けられた複数の受け体９は、それぞれが手すり２の長手方向に離れて配置される。棚材８は、これら複数の受け体９に載置されることで取り付けられる。そして、このように設けられた各棚材８の上方の空間が、前述した収納スペース７０となる。
＜使用方法＞
手すり２は、例えば、次のようにして使用される。洗い場１２の椅子に座った使用者は、図６Ａに示すように、手を伸ばして手すり２の上端部をつかむ。使用者は、手すり２を強くつかんで立ち上がる。この後、使用者は、図６Ｂに示すように、手すり２をつかみながら、当該手すり２に沿って浴槽１１側に移動する。使用者は、手すり２の上端部を強くつかみながら脚を上げて、浴槽１１を跨ぐ。この後、浴槽１１内に移動した使用者は、図６Ｃに示すように、手すり２の上端部をつかみながら屈み込んで、浴槽１１内の湯に身を沈め、その後、手すり２を放す。
【００３５】
このように、本実施形態の手すり２は、浴室の壁１０において、浴槽１１側と洗い場１２側とに跨って取り付けられているため、特に、高齢者等が立ち上がったり浴槽１１を跨いだりする動作に対し、効果的に補助することができる。
【００３６】
図７Ａおよび図７Ｂは、使用者が立ち上がるときの詳細図である。図７Ｂに示すように、使用者は、例えば、親指を除く四指を指掛け部４に掛け、親指や母子球を手当たり部３３に当てて手すり２の上端部をつかむ。使用者は、この状態で立ち上がることで、しっかりと手すり２をつかんで立ち上がることができる。しかも、指掛け部４の先端部には、滑り止め部５が設けられているため、指が滑るのを抑制することができる。
【００３７】
一般に、使用者は、手すり２をつかんで立ち上がるとき、図７Ａに示すように、身体を手すり２に近付ける傾向にある。このとき、頭部が壁面１３に近接することになるが、本実施形態の手すり２の取付構造は、壁面１３と手すり２との間に収納できるスペースを有しており、すなわち、手すり２と壁面１３との間に一定以上の間隔が設けられている。このため、本実施形態の手すり２の取付構造によれば、立ち上がりの際に使用者の頭部が壁面１３に干渉するのを防ぐことができる。
＜実施形態のまとめ＞
以上説明したように、本実施形態の手すり２は、左右方向に延びた手すり本体部３と、手すり本体部３の上端部から後方に向かって突出した指掛け部４とを備える。手すり本体部３は、手すり本体部３の前面において上縁部を形成する上縁面３２と、上縁面３２の下端から下方に連続し、当該上縁面３２の下端よりも後方側に窪んだ手当たり部３３とを有している。ここで、指掛け部４は、手すり本体部３の最も上方の位置から下方に向かう一定の領域で、かつ、手すり２を上方からつかんだときに、親指を除く四指が掛かる位置に設けられていればよい。この場合、例えば、指掛け部４の下面４３と手すり本体部３の後面との接続部分は、手すり本体部３の上下方向の中央よりも下方に位置していてもよい。
【００３８】
このため、本実施形態の手すり２によれば、使用者は、手当たり部３３に親指や母子球を当てた上で、指を指掛け部４に掛けることができるため、しっかりと手すり２の上端部をつかむことができる。
【００３９】
また、手すり２は、以下の構成を備えることが好ましい。すなわち、以下の構成は、手すり２に必ずしも必要な構成ではなく、任意の構成である。
【００４０】
本実施形態の手すり２は、上縁面３２が前方に向かうほど下方に位置するように傾斜している。
【００４１】
このように本実施形態の上縁面３２は、前方に向かうほど下方に位置するように傾斜しているため、使用者は指を指掛け部４の下面４３の奥まで引っ掛けやすく、手すり２をつかみやすい。このため、本実施形態の手すり２によれば、使用者は手すり２の上端部をしっかりとつかむことができる。
【００４２】
また、本実施形態の上縁面３２は、手すり本体部３の長手方向に垂直な断面において直線状をなす平面により構成されている。
【００４３】
このため、本実施形態の手すり２によれば、使用者が、手当たり部３３に親指や母子球を当てた上で指を指掛け部４に掛けると、手のひらを平面状の上縁面３２に密着させることができる。これにより、使用者は、例えば、上縁面３２が断面円弧状のものに比べて、手が下方に滑りにくくなる。
【００４４】
また、本実施形態の手すり２の取付構造は、指掛け部４が設けられた手すり２と、手すり２が取り付けられた壁１０とを備える。手すり２は、その長手方向が鉛直方向に交差するように、かつ指掛け部４が壁１０側に向くように、壁１０に取り付けられる。また、本実施形態の手すり２の取付構造は、手すり２が浴室の壁１０に取り付けられる。
【００４５】
このため、本実施形態の手すり２の取付構造によれば、使用者は、指を指掛け部４に掛けることができ、しかも、指掛け部４に滑り止め部５が設けられているため、しっかりと手すり２の上端部をつかむことができる。
【００４６】
一般に、手すりが浴室の壁１０に取り付けられた場合には、使用者は濡れた手で手すりをつかむため、浴室以外で使用する場合よりも滑りやすい。しかし、本実施形態の手すり２の取付構造によれば、使用者は指を指掛け部４に掛けることができ、滑り止め部５で指が滑るのを防ぐことができるため、浴室で使用する場合でも、しっかりと手すり２をつかむことができる。
【００４７】
さらに本実施形態の手すり２の取付構造は、手すり２と壁１０との間に、物品を収納するための収納スペース７０が設けられる。
【００４８】
このため、本実施形態の手すり２の取付構造によれば、手すり２と壁１０との間に、物品を収納できる。また、一般に、使用者は、手すり２をつかんで立ち上がるとき、図７Ａに示すように、身体を手すり２に近付ける傾向にある。このとき、頭部が壁面１３に近接することになる。ここで、本実施形態の手すり２の取付構造では、壁面１３と手すり２との間に物品を収納するための収納スペース７０が設けられており、手すり２と壁面１３との間には一定以上の間隔が設けられる。このため、立ち上がりの際に使用者の頭部は、壁面１３に接触しにくくなっている。
【００４９】
さらに本実施形態の手すり２の取付構造は、手すり２と壁１０との間に物品を置くための棚材８が設けられており、この棚材８の上方を収納スペース７０とする。
【００５０】
このため、本実施形態の手すり２の取付構造は、棚材８に物品を置いて、手すり２と壁１０との間の収納スペース７０に物品を収納できる。
＜変形例＞
本実施形態の手すり２は、例えば、以下のような形状をなしていてもよい。以下、順に変形例１，２，・・として説明する。なお、変形例１においては、上記実施形態の構成に対応する構成について、同符号の末尾に「ａ」を付して説明を省略し、主に異なる部分について説明する。また、同様に、変形例２においては同符号の末尾に「ｂ」を、変形例３においては同符号の末尾に「ｃ」を、変形例４においては同符号の末尾に「ｄ」を付す。
【００５１】
変形例１の手すり本体部３ａは、図８Ａに示すように、扁平な縦長状をなしている。変形例１では、手当たり部３３ａと上縁面３２ａとの境界の曲率半径が、上記実施形態よりも小さく形成されている。また、手当たり部３３ａは、奥面の曲率半径が本実施形態よりも小さく形成されており、親指は収まるが母子球は収まらない程度の大きさに形成されている。変形例１の手当たり部３３ａは、使用者が手すり２ａの上端部をつかんだ際に親指の上方への移動を規制するように構成されている。
【００５２】
変形例２の手すり本体部３ｂは、図８Ｂに示すように、扁平な縦長状をなしている。変形例２では、上縁面３２ｂが断面円弧状をなしており、手当たり部３３ｂに連続している。上縁面３２ｂと手当たり部３３ｂとは滑らかに連続しており、外観上境界が現れない。また、手当たり部３３ｂの下端部は、鉛直下方に延びており、下部面３５ｂに連続する。手当たり部３３ｂの下端部と下部面３５ｂとは、外観上境界が現れず、両者で鉛直な面を構成する。
【００５３】
変形例３の手すり本体部３ｃは、図８Ｃに示すように、扁平な縦長状をなしている。変形例３では、手当たり部３３ｃと上縁面３２ｃとの境界の曲率半径が、上記実施形態よりも小さく形成されている。また、手当たり部３３ｃは、断面横倒し略Ｌ字状をなしており、その下端が下部面３５ｃに連続している。変形例２と同様、手当たり部３３ｃの下端部と下部面３５ｃとの境界は、外観上現れず、手当たり部３３ｃの下端部と下部面３５ｃとで鉛直な面を構成する。
【００５４】
変形例４の手すり本体部３ｄは、図８Ｄに示すように、扁平な縦長状をなしている。変形例４では、手すり本体部３ｄの前面が前方に膨らむように円弧状をなしている。また、手当たり部３３ｄは、奥面の曲率半径が本実施形態よりも小さく形成されており、親指は収まるが母子球は収まらない程度の大きさに形成されている。
【００５５】
上記実施形態の手すり２は、指掛け部４の先端部の一部である後面に滑り止め部５が設けられていたが、例えば、次のような態様であってもよい。以下、変形例５，６として説明する。なお、変形例５においては、上記実施形態の構成に対応する構成について、同符号の末尾に「ｅ」を付して説明を省略し、主に異なる部分について説明する。また、同様に、変形例６においては同符号の末尾に「ｆ」を付して説明する。
【００５６】
変形例５の手すり２ｅは、図９Ａに示すように、手すり本体部３ｅの長手方向に垂直な断面において扁平な縦長状をなしているが、上記実施形態にいう手当たり部３３が設けられていない。また、手すり本体部３ｅの前面は、前方に膨らむように断面円弧状をなしている。
【００５７】
指掛け部４ｅは、指掛け上面４１ｅと指掛け後面４２ｅと指掛け下面４３ｅとを備える。指掛け上面４１ｅと指掛け後面４２ｅと指掛け下面４３ｅとは連続している。指掛け上面４１ｅは、断面において直線状をなす部分である。指掛け後面４２ｅは、指掛け上面４１ｅの後端から下方に連続し、断面において曲線状をなす部分である。指掛け下面４３ｅは、指掛け後面４２ｅの下端に連続する。指掛け下面４３ｅの後部は、断面において直線状をなす。
【００５８】
滑り止め部５ｅは、指掛け部４ｅの先端部に設けられる。滑り止め部５ｅは、指掛け上面４１ｅの後端部から指掛け下面４３ｅの後端部に亙って設けられている。
【００５９】
変形例６の手すり２ｆは、図９Ｂに示すように、手すり本体部３ｆの長手方向に垂直な断面において縦長状をなしているが、扁平状ではない。また、手すり本体部３ｆの前面には、上記実施形態にいう手当たり部３３が設けられていない。
【００６０】
指掛け部４ｆは、曲面状の指掛け上面４１ｆと、曲面状の指掛け後面４２ｆと、平面状の指掛け下面４３ｆとを備える。指掛け上面４１ｆと指掛け後面４２ｆとは、同じ曲率半径であり、かつ滑らかに連続している。この場合、指掛け上面４１ｆと指掛け後面４２ｆとの明確な境界は存在しないが、上を向く面が指掛け上面４１ｆに該当し、後方を向く面が指掛け後面４２ｆに該当する。
【００６１】
滑り止め部５ｆは、指掛け部４ｆの先端部に設けられる。変形例６の滑り止め部５ｆは、指掛け上面４１ｆの後端部と指掛け後面４２ｆに設けられる。
【００６２】
また、上記実施形態の手すり２は、指掛け部４が手すり本体部３の上端部から後方に向かって突出していたが、例えば、次のような態様であってもよい。以下、変形例７として説明する。なお、変形例７においては、上記実施形態の構成に対応する構成について、同符号の末尾に「ｇ」を付して説明を省略し、主に異なる部分について説明する。
【００６３】
変形例７の手すり２は、図１０に示すように、指掛け部４ｇが手すり本体部３ｇの上端部から後方に向かって突出している。指掛け部４ｇの指掛け上面４１ｇは、手すり本体部３ｇの上端面（手置き面３１ｇ）の後端部よりも下方から後方に延出しているが、連続していない。
【００６４】
また、本実施形態の手すりは、浴室の壁１０に取り付けられたが、例えば、階段の側方の壁１０に取り付けられてもよく、浴室の壁１０に取り付けられる場合や、手すり２の左右方向が水平となる場合だけに限定されない。つまり、設置状態の手すり２は、その左右方向が、鉛直方向に平行でなければよく、鉛直方向に交差していればよい。
【００６５】
また、手すり２と壁１０との間には、棚材８に替えて、例えば上方に開口した箱状の収納部材が設けられてもよい。また、棚材８を省略して、手すり２と壁１０との間を収納スペース７０として利用してもよい。また、手すり２と壁１０との間には、収納スペース７０が設けられなくてもよい。
【符号の説明】
【００６６】
１０    壁
１１    浴槽
１２    洗い場
１３    壁面
２      手すり
３      手すり本体部
３１    手置き面
３２    上縁面
３３    手当たり部
３５    下部面
４      指掛け部
４１    指掛け上面
４２    指掛け後面
４３    指掛け下面
５      滑り止め部
５１    凹凸部
５２    凹溝
６      支持体
６１    第一支持部
６２    支持本体部
６３    壁固定部
６４    第二支持部
６５    筒体部
６６    手すり固定部
７      バックアップ材
８      棚材
９      受け体
【図１】
0006607483.tif 000002
【図２】
0006607483.tif 000003
【図３】
0006607483.tif 000004
【図４】
0006607483.tif 000005
【図５】
0006607483.tif 000006
【図６】
0006607483.tif 000007
【図７】
0006607483.tif 000008
【図８】
0006607483.tif 000009
【図９】
0006607483.tif 000010
【図１０】
0006607483.tif 000011